(57)【要約】【課題】  風呂水給水ポンプの直流電動機用の電源を簡易に形成する。【解決手段】  洗濯兼脱水槽２と回転翼体４を駆動する洗濯駆動部６におけるコンデンサー分相型単相誘導電動機６１の進相用コンデンサー６１ｄを切離し、主巻線６１ａと補助電動機６１ｂを使用して交流電源電圧を分圧することにより風呂水給水ポンプ２２の直流電動機２２ｂに適した電圧を得る。【選択図】  図３
2006175079.tif 000002
【特許請求の範囲】
【請求項１】
外槽内に回転可能に設けた洗濯兼脱水槽と、この洗濯兼脱水槽内に回転可能に設けた回転翼体と、風呂水を吸い上げて前記洗濯兼脱水槽に給水する風呂水給水ポンプと、単相誘導電動機と該単相誘導電動機の回転力を前記回転翼体を単独または前記洗濯兼脱水槽と一緒に回転駆動するように伝達する動力伝達系を備えた洗濯駆動部と、前記風呂水給水ポンプの駆動源である直流電動機と、前記洗濯駆動部および直流電動機を制御する制御装置を備えた電気洗濯機において、
前記単相誘導電動機は、位相差をおいて設けた第１の巻線と第２の巻線を備えた分相型単相誘導電動機として構成し、
前記制御装置は、前記風呂水給水ポンプを運転するときには、前記単相誘導電動機の第１の巻線と第２の巻線とを直列接続状態にして交流電源に接続すると共に風呂水給水ポンプの駆動源である前記直流電動機を前記第１の巻線に並列接続して該直流電動機に給電するように構成したことを特徴とする電気洗濯機。
【請求項２】
請求項１において、前記単相誘導電動機は、前記第１の巻線または前記第２の巻線に進相した電流を供給する進相用コンデンサーを備え、
前記制御装置は、洗濯または脱水運転するときには前記第１の巻線または前記第２の巻線に前記進相用コンデンサーを接続し、前記風呂水給水ポンプの駆動源である直流電動機を運転するときには該直流電動機を前記第１の巻線に並列接続すると共に前記進相用コンデンサーの接続を断つ電気的接点を有する切替え手段を備えたことを特徴とする電気洗濯機。
【請求項３】
請求項１または２において、前記制御装置は、前記風呂水給水ポンプの駆動源である直流電動機を運転するときには、前記洗濯兼脱水槽と撹拌翼体を一体的に回転駆動するように前記洗濯駆動部における動力伝達系を制御することを特徴とする電気洗濯機。
【請求項４】
請求項１または２において、前記制御装置は、前記風呂水給水ポンプの駆動源である直流電動機を運転するときには、前記洗濯兼脱水槽を静止させた状態で撹拌翼体を回転駆動するように前記洗濯駆動部における動力伝達系を制御することを特徴とする電気洗濯機。
【発明の詳細な説明】
【技術分野】
【０００１】
本発明は、風呂水給水ポンプを搭載した電気洗濯機に関する。
【背景技術】
【０００２】
風呂水給水ポンプを備えた電気洗濯機は、例えば、特許文献１（特開平１０−３１４４９６号公報）に記載されたように、撹拌翼体と洗濯兼脱水槽を回転駆動する洗濯駆動用電動機と風呂水給水ポンプを回転駆動するポンプ駆動用電動機を備える。
【０００３】
ポンプ駆動用電動機は、固定子側に界磁用の永久磁石を備え、回転子側に電機子巻線を備えた直流電動機である。この直流電動機の電源は、商用電源の交流電圧を直流電圧に変換して使用する。
【０００４】
因に、洗濯駆動用電動機には、一般的には、主巻線，補助巻線および進相用コンデンサーを備えたコンデンサー分相型単相誘導電動機が使用される。
【０００５】
【特許文献１】特開平１０−３１４４９６号公報
【発明の開示】
【発明が解決しようとする課題】
【０００６】
風呂水給水に使用するポンプ駆動用電動機である直流電動機は、負荷トルクが小さいことから、回転子側の電機子巻線は細い線材を使用して形成している。この直流電動機を高電圧の単相交流電源（例えば、２００Ｖの商用電源）で運転する電気洗濯機に使用することができるように構成しようとすると、電機子巻線の仕様は、巻数が２倍となり、線径が１／√２になる。このために、線径が細くなって巻線作業時の断線やレヤーショート等が増加し、製造歩留まり率の低下と信頼性が低下するなどの問題がある。
【０００７】
また、電源対応で電圧降下用のトランスを使用する場合には、狭いトップカバー上面部に風呂水給水ポンプとほぼ同じ体積のトランスを設置することが必要となり、このトランス設置スペースを確保することが困難になるという問題がある。制御装置用低電圧を得るためのスイッチング電源回路を使用しようとすると、消費電力が他の電子部品に比較して大きいために、既設のスイッチング電源回路を共用することが困難となり、大容量のスイッチング電源回路を使用するように変更することが必要になることから高価になる。
【０００８】
本発明の１つの目的は、風呂水給水ポンプの駆動源である直流電動機を簡易な電源装置で運転することができる電気洗濯機を提供することにある。
【０００９】
本発明の他の目的は、２００ボルト以上の高電圧を商用電源とする地域において使用する電気洗濯機における風呂水給水ポンプの駆動源である直流電動機を簡易な電源装置で運転することができるように構成することにある。
【課題を解決するための手段】
【００１０】
本発明の電気洗濯機は、外槽内に回転可能に設けた洗濯兼脱水槽と、この洗濯兼脱水槽内に回転可能に設けた回転翼体と、風呂水を吸い上げて前記洗濯兼脱水槽に給水する風呂水給水ポンプと、単相誘導電動機と該単相誘導電動機の回転力を前記回転翼体を単独または前記洗濯兼脱水槽と一緒に回転駆動するように伝達する動力伝達系を備えた洗濯駆動部と、前記風呂水給水ポンプの駆動源である直流電動機と、前記洗濯駆動部および直流電動機を制御する制御装置を備えた電気洗濯機において、
前記単相誘導電動機は、位相差をおいて設けた第１の巻線と第２の巻線を備えた分相型単相誘導電動機として構成し、
前記制御装置は、前記風呂水給水ポンプを運転するときには、前記単相誘導電動機の第１の巻線と第２の巻線とを直列接続状態にして交流電源に接続すると共に風呂水給水ポンプの駆動源である前記直流電動機を前記第１の巻線に並列接続して該直流電動機に給電するように構成したことを特徴とする。
【００１１】
そして、前記単相誘導電動機は、前記第１の巻線または前記第２の巻線に進相した電流を供給する進相用コンデンサーを備え、
前記制御装置は、洗濯または脱水運転するときには前記第１の巻線または前記第２の巻線に前記進相用コンデンサーを接続し、前記風呂水給水ポンプの駆動源である直流電動機を運転するときには該直流電動機を前記第１の巻線に並列接続すると共に前記進相用コンデンサーの接続を断つ電気的接点を有する切替え手段を備えたことを特徴とする。
【００１２】
また、前記制御装置は、前記風呂水給水ポンプの駆動源である直流電動機を運転するときには、前記洗濯兼脱水槽と撹拌翼体を一体的に回転駆動するように前記洗濯駆動部における動力伝達系を制御し、または、前記洗濯兼脱水槽を静止させた状態で撹拌翼体を回転駆動するように前記洗濯駆動部における動力伝達系を制御することを特徴とする。
【発明の効果】
【００１３】
本発明の電気洗濯機によれば、洗濯駆動部におけるコンデンサー分相型単相誘導電動機の主巻線と補助電動機を使用して交流電源電圧を分圧することにより風呂水給水ポンプの直流電動機に適した電圧を得るように構成したことにより、風呂水給水ポンプ駆動用の直流電動機を簡易な電源装置で運転することができ、特に、２００ボルト以上の高電圧を商用電源とする地域において使用する電気洗濯機における風呂水給水ポンプ駆動用の直流電動機を簡易な電源装置で運転することができる。
【００１４】
また、風呂水給水は、回転する洗濯兼脱水槽と撹拌翼体よって洗濯物を回転または撹拌しながら該洗濯物上に振り掛けるように行なうことにより、給水を洗濯物内に均一に早く浸透させることができ、また、コンデンサー分相型単相誘導電動機が回転することによって、主巻線と補助巻線に流れる電流を低減することができると共に回転子の回転によって冷却ファンが機能して強制冷却効果が発生するので、主巻線と補助巻線の温度上昇を大幅に軽減することができる。
【発明を実施するための最良の形態】
【００１５】
本発明は、外槽内に回転可能に設けた洗濯兼脱水槽と、この洗濯兼脱水槽内に回転可能に設けた回転翼体と、風呂水を吸い上げて前記洗濯兼脱水槽に給水する風呂水給水ポンプと、単相誘導電動機と該単相誘導電動機の回転力を前記回転翼体を単独または前記洗濯兼脱水槽と一緒に回転駆動するように伝達する動力伝達系を備えた洗濯駆動部と、前記風呂水給水ポンプの駆動源である直流電動機と、前記洗濯駆動部および直流電動機を制御する制御装置を備えた電気洗濯機において、
前記単相誘導電動機は、位相差をおいて設けた第１の巻線と第２の巻線と該第１の巻線と第２の巻線に進相した電流を供給する進相用コンデンサーを備えたコンデンサー分相型単相誘導電動機として構成し、
前記制御装置は、前記風呂水給水ポンプを運転するときには、前記洗濯兼脱水槽と撹拌翼体を一体的に回転駆動するように前記洗濯駆動部における動力伝達系を制御し、前記コンデンサー分相型単相誘導電動機の前記進相用コンデンサーを切離し、第１の巻線と第２の巻線とを直列接続状態にして交流電源に接続すると共に風呂水給水ポンプの駆動源である前記直流電動機を前記第１の巻線に並列接続して該直流電動機に給電し、
洗濯または脱水運転するときには、前記洗濯兼脱水槽と撹拌翼体を一体的に回転駆動または前記洗濯兼脱水槽を静止させた状態で撹拌翼体を回転駆動するように前記洗濯駆動部における動力伝達系を制御し、前記第１の巻線または前記第２の巻線に前記進相用コンデンサーを接続して前記コンデンサー分相型単相誘導電動機を運転するように構成する。
【実施例１】
【００１６】
図１は、本発明の実施例１の電気洗濯機の縦断側面図、図２は、図１に示した電気洗濯機の蓋を省略した状態の上部斜視図である。
【００１７】
外枠１は、内部機構の周囲を内包する電気洗濯機の枠体である。洗濯兼脱水槽２は、周壁に多数の脱水穴２ａを形成し、上縁部に流体バランサー３を備え、内側の底の中央部には回転翼体４を回転自在に収容し、外槽５内に回転自在に設置される。外槽５の底部の外側には、洗濯駆動用電動機と洗濯および脱水の切替え機能を有する動力伝達系を内蔵した洗濯駆動部６が鋼板製の取付けベース７を介して取付けられる。洗濯駆動部６の動力伝達系は、従来の電気洗濯機における動力伝達系と同じ構成であるので図示説明は省略するが、電磁操作クラッチを備え、洗濯モードでは、前記洗濯兼脱水槽２を静止状態に保持して前記回転翼体４を低速度で回転駆動する動力伝達系を形成し、脱水モードでは、前記洗濯兼脱水槽２と回転翼体４を一体的に高速度で回転駆動する動力伝達系を形成するように構成する。
【００１８】
前記外槽５は、前記外枠１の上部の四隅から防振支持装置８によって懸垂支持する。
【００１９】
衣類投入９ａを形成した上カバー９は、前記衣類投入口９ａを前記洗濯兼脱水槽２の上方に位置させて前記枠体１の上部開口を覆うように該上部開口の端縁に嵌め込み、フロントパネル１０およびバックパネル１１と共に取付けてネジ（図示省略）により外枠１に取付けて設置する。
【００２０】
前記上カバー９の前縁部において前記フロントパネル１０の下側に形成されるフロントパネルボックス１２には、電源スイッチ１３と操作スイッチである入力スイッチ群１４と表示素子群１５と外槽５内に給水される洗濯水量に応じた水位信号を発生する水位センサー１６と制御装置１７を内蔵する。前記電源スイッチ１３と入力スイッチ群１４と表示素子群１５は、フロントパネル１０の上面に露出させる。
【００２１】
前記上カバー９の後縁部において前記バックパネル１１の下側に形成されるバックパネルボックス１８には、水道水の給水ホース接続口１９を設ける。この給水ホース接続口１９の外側端は機外に突出させ、給水栓（図示省略）から延びる水道給水ホース（図示省略）を接続する。給水ホース接続口１９の内側端には給水電磁弁２０を接続する。この給水電磁弁２０の吐き出し側は、注水口２１に連通するように接続して該注水口２１から洗濯兼脱水槽２の開口に向けて放水すると共に風呂水給水ポンプ（後述する）に接続して呼び水を給水するように構成する。
【００２２】
前記バックパネルボックス１８内には、更に、洗濯兼脱水槽２に供給するための風呂の残り湯（風呂水）を吸い上げて給水する風呂水給水ポンプ２２や水道水軟水化装置（図示省略）や洗剤投入装置（図示省略）を内蔵する。風呂水給水ポンプ２２の吸水ホース接続口２２ａは、バックパネル１１の上面に突出させる。
【００２３】
前記上カバー９に形成した衣類投入口９ａは、蓋２３によって開閉自在に覆う構造とする。前記外槽５の底部に形成した排水口５ａは、排水電磁弁２４を介して排水ホース２５に接続する。
【００２４】
また、前記外槽５の下部にはエアートラップ５ｂを設け、このエアートラップ５ｂはエアーチューブ２６を介して前記水位センサー１６に接続する。この水位センサー１６は、外槽５内の水位に応じた空気圧に感応して該外槽５内の洗濯水位を検出し、水位を表わす水位検出信号を前記制御装置１７に入力する。
【００２５】
また、前記外槽５の底部の排水口５ａには、洗濯中に外槽５内の洗濯水を強制循環する循環ポンプ２７を接続し、洗濯および濯ぎ中にこの循環ポンプ２７を運転することによって外槽５の底部から洗濯水を吸い込んで循環ホース２８を介して洗濯兼脱水槽２の上側から該洗濯兼脱水槽２内に振り掛けるようにして循環させるように構成する。
【００２６】
前記外枠１の下端部には、四隅に脚２９を取付けた合成樹脂製のベース３０を装着する。
【００２７】
図３は、この実施例１の電気洗濯機の洗濯駆動部６における前記洗濯駆動源である単相誘導電動機と風呂水給水ポンプ４１におけるポンプ駆動源である電動機を運転する制御系の電気的回路図である。
【００２８】
洗濯駆動部６で使用する単相誘導電動機は、コンデンサー分相型単相誘導電動機６１であり、固定子鉄心に位相差をおいて捲回した第１の巻線としての主巻線６１ａと第２の巻線としての補助巻線６１ｂとサーマルプロテクタ６１ｃと進相用コンデンサー６１ｄを備える。主巻線６１ａと補助巻線６１ｂは、洗濯時における正逆回転出力特性を等しくするために、使用する線材の線径および巻数を等しく構成する。
【００２９】
前記主巻線６１ａと補助巻線６１ｂは、直列接続し、この直列接続された主巻線６１ａと補助巻線６１ｂの外側端子間にリレー接点１７１ａを介して前記進相用コンデンサー６１ｄを並列接続すると共に各外側端子は交流半導体スイッチング素子（ＦＬＳ）１７２ａ，１７２ｂを介して単相交流電源３１の一端に接続する。また、主巻線６１ａの外側端子は、リレー接点１７１ｂを介して前記単相交流電源３１の他端に接続する。更に、直列接続した前記主巻線６１ａと補助巻線６１ｂの内側接続端子（共通接続点）は、サーマルプロテクタ６１ｃを介して機外に導出し、リレー接点１７１ｃを介して前記単相交流電源３１の他端に接続する。
【００３０】
風呂水給水ポンプ２２の駆動源である電動機は、直流電動機２２ｂであり、図示説明は省略するが、固定子側に界磁用の永久磁石を備え、回転子側に電機子巻線を備え、更に、前記電機子巻線に直列接続される半導体整流素子であるダイオードを内蔵する構成である。そして、この直流電動機２２ｂの一端は、前記サーマルプロテクター６１０を介して前記主巻線６１ａと補助巻線６１ｂの内側接続端子（共通接続点）に接続し、他端は、リレー接点１７１ｄを介して前記単相交流電源３１の前記他端に接続する。
【００３１】
前記リレー接点１７１ａ〜１７１ｄは、連動型のリレー接点構造とする。このリレー接点１７１ａ〜１７１ｄは、それぞれ、交流半導体スイッチング素子で代用することも可能である。
【００３２】
制御装置１７の主体を構成する主制御部１７３は、マイクロコンピュータと入出力回路によって構成し、前記入力スイッチ群１４と水位センサー１６からの信号を入力し、前記洗濯駆動部６のコンデンサー分相型単相誘導電動機６１と風呂水給水ポンプ２２の駆動源である直流電動機２２ｂを制御するリレー接点１７１ａ〜１７１ｄおよびＦＬＳ１７２ａ，１７２ｂと、表示素子群１５と、給水電磁弁２０と、排水電磁弁２４と、循環ポンプ２７と、前記洗濯駆動部６の動力伝達系における電磁操作クラッチ６２を制御する。
【００３３】
図４は、風呂水給水時に形成する回路構成を示している。この回路構成は、リレー接点１７１ａ，１７１ｃをオフし、リレー接点１７１ｂ，１７１ｄをオンし、ＦＬＳ１７２ａをオフし、ＦＬＳ１７２ｂをオンすることによって実現する。
【００３４】
この回路構成では、コンデンサー分相型単相誘導電動機６１の主巻線６１ａと補助巻線６１ｂは、直列接続されると共に進相用コンデンサー６１ｄは切離された状態で単相交流電源５０に接続され、風呂水給水ポンプ４１の直流電動機２２ｂがサーマルプロテクタ６１ｃを介して主巻線６１ａと並列状態に接続される。
【００３５】
この接続状態では、主巻線６１ａと補助巻線６１ｂの巻数および線径が等しいことから、各巻線６１ａ，６１ｂの端子電圧は、単相交流電源３１の電圧の１／２の大きさの電圧となり、この単相交流電源３１の電圧の１／２の大きさの電圧が風呂水給水ポンプ２２の直流電動機２２ｂに印加される。そして、直流電動機２２ｂは、この電圧を整流して電機子巻線に印加することによって運転状態（風呂水給水運転状態）となる。単相交流電源３１の交流電圧を２００ボルトと仮定すると、直流電動機２２ｂに印加される交流電圧は１００ボルトとなり、電機子巻線の巻数を増加したり、線径を細くするような巻線仕様の変更を行うことなく、２００ボルトの単相交流電源地域で使用する電気洗濯機における風呂水給水ポンプ２２用の直流電動機２２ｂを構成することが可能になる。また、当然に、電圧降下用のトランスも不要である。
【００３６】
このような風呂水給水時の直流電動機２２ｂの運転は、ＦＬＳ１７２ｂをオフすることによって停止する。
【００３７】
なお、このように風呂水給水ポンプ２２を運転している状態のときには、リレー接点１７１ｂとＦＬＳ１７２ａが同時にオン状態になると、単相交流電源３１を短絡する短絡回路が形成されてしまうので、この両者が同時にオン状態になるのを防ぐためのソフト的なロック機能を主制御部１７３に設ける。
【００３８】
図５は、洗濯または脱水運転時に形成する回路構成を示している。この回路構成は、リレー接点１７１ｂ，１７１ｄをオフし、リレー接点１７１ａ，１７１ｃをオンすることによって実現する。
【００３９】
そして、洗濯運転では、洗濯兼脱水槽２を静止させた状態で撹拌翼体４を低速度で回転駆動する動力伝達系を形成するように電磁操作クラッチ６２を制御し、ＦＬＳ１７２ａ，１７２ｂを相反する状態にオン／オフさせることによって、コンデンサー分相型単相誘導電動機６１を繰返し正転，停止，逆転，停止させて回転翼体４を同様に回転駆動する。ここでは、コンデンサー分相型単相誘導電動機６１は、ＦＬＳ１７２ａをオン、ＦＬＳ１７２ｂをオフしたときに正転し、両ＦＬＳ１７２ａ，１７２ｂをオフしたときに停止し、ＦＬＳ１７２ａをオフ、ＦＬＳ１７２ｂをオンしたときに逆転する。
【００４０】
脱水運転では、洗濯兼脱水槽２と撹拌翼体４を一体的に高速度で回転駆動する動力伝達系を形成するように電磁操作クラッチ６２を制御し、ＦＬＳ１７２ａのみを連続的にオンさせてコンデンサー分相型単相誘導電動機６１を連続的に正転させる。
【００４１】
ところで、洗濯時における正逆回転出力特性を等しくするために、使用する線材の線径および巻数を等しく構成した主巻線６１ａと補助巻線６１ｂを備えたコンデンサー分相型単相誘導電動機６１は、進相用コンデンサー６１ｄを切離し、主巻線６１ａと補助巻線６１ｂの直列回路に交流電圧を印加すると、主巻線６１ａと補助巻線６１ｂに流れる電流に位相差がないので起動トルクが発生しない。しかしながら、主巻線６１ａと並列状態に風呂水給水ポンプ２２の直流電動機２２ｂを接続すると、主巻線６１ａと補助巻線６１ｂに流れる電流に位相差が生じて起動トルクが発生する。
【００４２】
図６は、コンデンサー分相型単相誘導電動機６１の回転数（回転速度）―トルク特性を示している。
【００４３】
曲線Ｔ１は、進相用コンデンサー６１ｄを接続して主巻線６１ａと補助巻線６１ｂに位相が異なる電流を流すことにより大きなトルクを発生するように運転するときの回転数−トルク特性であり、洗濯および脱水運転における回転駆動に好ましいトルク特性である。
【００４４】
曲線Ｔ２は、進相用コンデンサー６１ｄを切離して主巻線６１ａと補助巻線６１ｂを直列接続状態で単相交流電源３１に接続して運転するときの回転数―トルク特性である。この状態では、主巻線６１ａと補助巻線６１ｂに流れる電流は同位相となるために始動トルクは零であり、停動トルクは小さい。
【００４５】
曲線Ｔ３は、風呂水給水ポンプ２２を回転駆動する直流電動機２２ｂを主巻線６１ａと並列状態に接続し、進相用コンデンサー６１ｄを切離した状態で主巻線６１ａと補助巻線６１ｂを直列状態に単相交流電源３１に接続した風呂水給水運転時の回転数―トルク特性である。直流電動機２２ｂを主巻線６１ａに並列状態に接続したことによって、補助巻線６１ｂには、主巻線６１ａの電流よりも位相が進んだ大きな電流が流れて始動トルクが発生する。このとき停動トルクも若干大きくなる。
【００４６】
因に、曲線Ｔ４は、洗濯兼脱水槽２と撹拌翼体４を一体的に回転駆動する脱水運転時の負荷トルク曲線である。
【００４７】
洗濯または脱水運転時におけるコンデンサー分相型単相誘導電動機６１の回転数−トルク特性は曲線Ｔ１であり、起動トルクと停動トルクが大きいことから、洗濯駆動部６における動力伝達系を脱水運転に制御することにより、回転数がＮ２まで上昇する。これに対して、風呂水給水運転時におけるコンデンサー分相型単相誘導電動機６１の回転数−トルク特性は曲線Ｔ３であって出力トルクが小さいことから、洗濯駆動部６における動力伝達系を脱水運転に制御することにより、回転数がＮ１となる。この風呂水給水運転におけるコンデンサー分相型単相誘導電動機６１のトルク曲線が曲線Ｔ３よりも大きい構成では、洗濯駆動部６における動力伝達系を洗濯運転に制御して負荷トルクを大きくすることにより、回転数をＮ１以下に押える。
【００４８】
このように風呂水給水運転中にコンデンサー分相型単相誘導電動機６１を回転させると、主巻線６１ａと補助巻線６１ｂに流れる電流を低減することができると共に回転子の回転によって冷却ファンが機能して強制冷却効果が発生するので、主巻線６１ａ，補助巻線６１ｂの温度上昇を大幅に軽減することができる。
【００４９】
また、給水は、洗濯兼脱水槽２内で回転または撹拌中の洗濯物の上に振り掛けることになるので、洗濯物内に均一に早く浸透させることができる。
【００５０】
図６は、この電気洗濯機の制御装置１７における主制御部１７３のマイクロコンピュータが実行する制御処理のフローチャートである。
【００５１】
ステップＳ１０１
電源スイッチ１３が投入されると主制御部１７３が機能して初期設定状態となり、入力スイッチ群１４からの指示入力に従って初期設定を実行する。風呂水給水の有無の設定は、この初期設定において行う。
【００５２】
ステップＳ１０２
入力スイッチ群１４におけるスタートスイッチからの入力があると洗濯，脱水工程の実行を開始する。
【００５３】
ステップＳ１０３
布量センシングを実行する。この布量センシングは、洗濯物が乾布状態にあるときに、洗濯兼脱水槽２を静止させた状態で回転翼体４を回転駆動するように駆動部６を制御し、回転翼体４の回転負荷トルクを検出することによって行う。
【００５４】
ステップＳ１０４
検出した布量の洗濯物を洗うために最適な洗剤量を求め、求めた洗剤量を表示素子群１５によって表示する。
【００５５】
ステップＳ１０５
風呂水給水の設定の有無を確認して処理を分岐する。
【００５６】
ステップＳ１０６
風呂水給水が設定されているときには、風呂水給水ポンプ２２に呼び水を給水する。この呼び水給水は、給水電磁弁２０を短時間開放して水道水を風呂水給水ポンプ２２に給水することによって行う。
【００５７】
ステップＳ１０７
洗濯駆動部６の動力伝達系が脱水運転となるように電磁操作クラッチ６２を制御し、リレー接点１７１ａ〜１７１ｄを図４に示す状態に制御し、ＦＬＳ１７２ｂをオン状態とすることにより直流電動機２２ｂを運転して風呂水給水ポンプ２２を回転させることによって風呂水を洗濯兼脱水槽２（外槽５）内に給水する。この風呂水給水ポンプ２２の運転は、水位センサー１６から出力する水位検出信号を監視しながら行い、洗い水の水位が所定の水位となるまで行う。この風呂水給水中は、洗濯兼脱水槽２と撹拌翼体４が一体的に緩速回転する。
【００５８】
ステップＳ１０８
風呂水給水が設定されていないときは、給水電磁弁２１を開放して水道水を洗濯兼脱水槽２（外槽５）内に給水する。この給水電磁弁２１の開放は、水位センサー１６から出力する水位検出信号を監視しながら行い、洗い水の水位が所定の水位となるまで行う。
【００５９】
ステップＳ１０９
洗いを実行する。この洗いは、洗濯駆動部６の動力伝達系が洗濯運転となるように電磁操作クラッチ６２を制御し、リレー接点１７１ａ〜１７１ｄを図５に示す状態に制御し、ＦＬＳ１７２ａ，１７２ｂを交互にオンすることによってコンデンサー分相型単相誘導電動機６１の正転，停止，逆転，停止を繰返し、洗濯兼脱水槽２を静止させた状態で撹拌翼体４を同様に繰返し正転，停止，逆転，停止させて洗濯物を撹拌することによって行なう。この洗い中には、循環ポンプ２７を運転して洗い水を循環させる。
【００６０】
ステップＳ１１０
洗いが終了すると、排水／脱水を実行する。排水は、排水電磁弁２４を開放することによって行ない、脱水では、洗濯駆動部６の動力伝達系が脱水運転となるように電磁操作クラッチ６２を制御し、リレー接点１７１ａ〜１７１ｄを図５に示す状態に制御し、ＦＬＳ１７２ａを連続的にオンすることによってコンデンサー分相型単相誘導電動機６１を連続的に正転させ、洗濯兼脱水槽２と撹拌翼体４を一体的に高速度で連続的に正転させて所定時間の遠心脱水を行なう。
【００６１】
ステップＳ１１１
排水／脱水が終了すると、給水／濯ぎ〔１〕を実行する。この濯ぎのための給水は、排水電磁弁２４を閉じ、給水電磁弁２０を開放して水道水を所定の水位まで給水することによって行なう。そして、濯ぎ（１）では、洗いと同様に、洗濯駆動部６の動力伝達系が洗濯運転となるように電磁操作クラッチ６２を制御し、リレー接点１７１ａ〜１７１ｄを図５に示す状態に制御し、ＦＬＳ１７２ａ，１７２ｂを交互にオンすることによってコンデンサー分相型単相誘導電動機６１の正転，停止，逆転，停止を繰返し、洗濯兼脱水槽２を静止させた状態で撹拌翼体４を同様に繰返し正転，停止，逆転，停止させて洗濯物を撹拌して行なう。この濯ぎ中は、循環ポンプ２７を運転して濯ぎ水を循環させる。
【００６２】
ステップＳ１１２
排水／脱水を実行する。この排水と脱水は、ステップＳ１１０と同様にして行なう。
【００６３】
ステップＳ１１３
給水／濯ぎ〔２〕を実行する。この給水と濯ぎ（２）は、ステップＳ１１１と同様にして行なう。
【００６４】
ステップＳ１１４
給水／濯ぎ（２）終了すると、排水／脱水を実行する。この排水と脱水は、ステップＳ１１０と同様にして行なうが、脱水時間は、所定の脱水率が得られるように設定して行なう。
【００６５】
ステップＳ１１５
全工程運転終了の処理を実行する。
【００６６】
この実施例１では、風呂水給水ポンプ２２を回転させる直流電動機２２ｂを単相誘導電動機６１の主巻線６１ａの全体に並列接続しているが、主巻線６１ａの途中に中間タップを設けて該主巻線６１ａの一部（約半分）と並列状態に接続するように変形することも可能である。この場合には、直流電動機２２ｂに印加される電圧は、主巻線６１ａの全部により分圧した電圧よりも低い電圧となる。
【図面の簡単な説明】
【００６７】
【図１】本発明の実施例１の電気洗濯機の縦断側面図である。
【図２】本発明の実施例１の電気洗濯機の蓋を省略した状態の上側斜視図である。
【図３】本発明の実施例１の電気洗濯機における洗濯駆動部における単相誘導電動機と風呂水給水ポンプにおける電動機を運転する制御系の回路図である。
【図４】本発明の実施例１の電気洗濯機における風呂水給水時に構成する回路図である。
【図５】本発明の実施例１の電気洗濯機における洗濯および脱水時に構成する回路図である。
【図６】本発明の実施例１の電気洗濯機の洗濯駆動部における単相誘導電動機の回転数―トルク特性を示す図である。
【図７】本発明の実施例１の電気洗濯機の制御装置における主制御部が実こうする制御処理のフローチャートである。
【符号の説明】
【００６８】
２…洗濯兼脱水槽、４…回転翼体、５…外槽、６…洗濯駆動部、６１…コンデンサー分相型単相誘導電動機、６１ａ…主巻線、６１ｂ…補助巻線、６１ｃ…進相用コンデンサー、１７…制御装置、１７１ａ〜１７１ｄ…リレー接点、１７２ａ，１７２ｂ…交流半導体スイッチング素子（ＦＬＳ）、２２…風呂水給水ポンプ、２２ｂ…直流電動機、３１…単相交流電源。
【図１】
2006175079.tif 000003
【図２】
2006175079.tif 000004
【図３】
2006175079.tif 000005
【図４】
2006175079.tif 000006
【図５】
2006175079.tif 000007
【図６】
2006175079.tif 000008
【図７】
2006175079.tif 000009